(57)【要約】【課題】全身画像と他の撮影画像の混在する写真シールシートを出力でき、かつ全身画像における被写体の大きさを十分大きく出力できる写真シート作成方法およびその装置を提供し、ユーザの満足度を向上させる。【解決手段】写真シート作成装置を、被写体の顔周辺をアップ撮影可能なアップ用撮影コースで撮影したアップ撮影画像と被写体の顔から足まで撮影可能な全身用撮影コースで撮影した全身撮影画像とを前記撮影画像として取得する構成とし、前記アップ撮影画像の短辺と長辺の比率に対して、前記全身撮影画像の短辺と長辺の比率を長辺側の比率が大きい比率とし、前記アップ画像と前記全身画像を混合させて配置して用紙に印刷する構成とした。【選択図】図１８
2008158389.tif 000002
【特許請求の範囲】
【請求項１】
被写体の操作を受け付けた後に複数の撮影コースを用いて撮影空間内の一以上の被写体を撮影手段で撮影して複数種類の撮影画像を作成する撮影処理を行い、
前記複数種類の撮影画像を少なくとも同一の撮影画像が複数存在する状態で配置して予め定められた用紙に印刷手段で印刷する印刷処理を行う写真シート作成方法であって、
前記撮影コースのうち被写体の顔周辺をアップ撮影可能なアップ用撮影コースで撮影したアップ撮影画像と被写体の顔から足まで撮影可能な全身用撮影コースで撮影した全身撮影画像とを前記撮影画像として取得し、
前記アップ撮影画像の短辺と長辺の比率に対して、前記全身撮影画像の短辺と長辺の比率を長辺側の比率が大きい比率とし、前記アップ画像と前記全身画像を混合させて配置して用紙に印刷する
写真シート作成方法。
【請求項２】
前記撮影手段で取得している動画映像または／および前記撮影手段で取得した撮影画像を前記撮影処理の際に表示する撮影用表示手段が備えられ、
前記全身撮影画像を取得する際に、全身動画映像または／および前記全身撮影画像を、被写体の全体を表示する全体表示と被写体の顔付近を拡大した拡大表示との両方で前記撮影用表示手段に表示する
請求項１記載の写真シート作成方法。
【請求項３】
前記撮影処理にて複数枚の撮影画像を取得し、
複数枚の撮影画像を一覧表示して編集対象とする撮影画像を選択させる選択処理を実行し、
該選択処理の際、前記全身撮影画像を前記アップ撮影画像よりも大きく拡大して一覧表示する
請求項１または２記載の写真シート作成方法。
【請求項４】
前記撮影画像に編集手段で編集して編集画像を作成する編集処理を許容し、
該編集処理にて前記編集手段の表示部に前記撮影画像を表示する際に、
前記アップ撮影画像であれば前記表示部の表示範囲内に全体を表示し、
前記全身撮影画像であれば該全身撮影画像の短辺幅が前記表示部の表示範囲に適合するように部分的に拡大すると共に該拡大する部分を長辺方向へ移動可能に表示する
請求項１、２または３記載の写真シート作成方法。
【請求項５】
前記表示部に、書き込み編集に用いる編集用アイテム画像を表示し、
前記全身撮影画像に前記編集用アイテム画像を書き込み編集する際に、書き込む編集用アイテム画像の大きさを、表示されている全身撮影画像の表示倍率に対応させる
請求項４記載の写真シート作成方法。
【請求項６】
被写体の操作を受け付けた後に複数の撮影コースを用いて撮影空間内の一以上の被写体を撮影して複数種類の撮影画像を作成する撮影処理が実行可能な撮影手段と、
前記複数種類の撮影画像を少なくとも同一の撮影画像が複数存在する状態で配置して予め定められた用紙に印刷する印刷処理が実行可能な印刷手段とを備えた写真シート作成装置であって、
前記撮影コースのうち被写体の顔周辺をアップ撮影可能なアップ用撮影コースで撮影したアップ撮影画像と被写体の顔から足まで撮影可能な全身用撮影コースで撮影した全身撮影画像とを前記撮影画像として取得する構成とし、
前記アップ撮影画像の短辺と長辺の比率に対して、前記全身撮影画像の短辺と長辺の比率を長辺側の比率が大きい比率とし、前記アップ画像と前記全身画像を混合させて配置して用紙に印刷する構成とした
写真シート作成装置。
【請求項７】
前記撮影手段で取得している動画映像または／および前記撮影手段で取得した撮影画像を前記撮影処理の際に表示する撮影用表示手段を備え、
前記全身撮影画像を取得する際に、全身動画映像または／および前記全身撮影画像を、被写体の全体を表示する全体表示と被写体の顔付近を拡大した拡大表示との両方で前記撮影用表示手段に表示する構成とした
請求項６記載の写真シート作成装置。
【請求項８】
前記撮影処理にて複数枚の撮影画像を取得する構成とし、
複数枚の撮影画像を一覧表示して編集対象とする撮影画像を選択させる選択処理を実行する構成とし、
該選択処理の際、前記全身撮影画像を前記アップ撮影画像よりも大きく拡大して一覧表示する構成とした
請求項６または７記載の写真シート作成装置。
【請求項９】
前記撮影画像を編集して編集画像を作成する編集処理が実行可能な編集手段を備え、
該編集処理にて前記編集手段の表示部に前記撮影画像を表示する際に、
前記アップ撮影画像であれば前記表示部の表示範囲内に全体を表示し、
前記全身撮影画像であれば該全身撮影画像の短辺幅が前記表示部の表示範囲に適合するように部分的に拡大すると共に該拡大する部分を長辺方向へ移動可能に表示する構成とした
請求項６、７または８記載の写真シート作成装置。
【請求項１０】
前記表示部に、書き込み編集に用いる編集用アイテム画像を表示する構成とし、
前記全身撮影画像に前記編集用アイテム画像を書き込み編集する際に、書き込む編集用アイテム画像の大きさを、表示されている全身撮影画像の表示倍率に対応させる構成とした
請求項９記載の写真シート作成装置。
【発明の詳細な説明】
【技術分野】
【０００１】
この発明は、例えば被写体を撮影して撮影画像を取得し、この撮影画像に編集許容して編集画像を取得し、この編集画像を用紙に印刷するような写真シート作成方法およびその装置に関する。
【背景技術】
【０００２】
従来の写真シート作成装置は、娯楽（遊戯）施設等に設置され、被写体を撮影し、撮影で得た撮影画像に編集（落書き）を行い、編集画像もしくは撮影画像を写真シール紙に印刷するという流れで１ゲームが終了する。
【０００３】
このような写真シート作成装置を利用するユーザは、ユーザ自身が写っている撮影画像に対して様々な編集を行い、この編集を楽しんでいる。ここで、編集を行う前の撮影画像がユーザの好みに応じた画像でなかった場合、ユーザは、撮影画像に対して満足のいかないまま編集を行うことになる。このような場合、ユーザは、編集を楽しめず、更にはゲームに対しての満足度が低くなって、残念な気持ちを持つことになる。
【０００４】
近年では、ユーザが撮影画像に対して不満を抱えないように、ユーザの要求に応じて様々なカメラアングルで撮影することができるものや、被写体のアップ画像や全身画像が得られるような撮影コースで撮影することができる写真シート作成装置が提供されている。ユーザは、このような写真シート作成装置で得た写真シールシートを仲間同士で切り分け合ったりしている。
【０００５】
このような写真シート作成装置として、例えば、複数設置されたカメラを用いて、様々なカメラアングルあるいは撮影コースで変化に富んだ撮影が行える写真シート作成装置が提案されている（先行技術文献１，２参照）。また、１台のカメラを用いて、撮影前に撮影画像の範囲をユーザ自身に決定させ、ユーザの希望する撮影画像を作成できる写真シート作成装置（先行技術文献３参照）が提案されている。また、アップ撮影や全身撮影用に用いる背景カーテンを別々の位置に設置し、かつ、全身撮影用背景カーテンをアップ撮影用背景カーテンよりもカメラ設置位置に対して遠方に設置した写真シート作成装置が提案されている（特許文献４参照）。この写真シート作成装置は、全身撮影コースが選択された場合に全身撮影用背景カーテンを駆動操作させ、そのカーテン付近まで被写体が近づけば被写体の全身が入るように撮影できる。
【０００６】
しかしながら、これらの写真シート作成装置は、全身撮影やアップ撮影といった様々な撮影コースでの撮影が行えるものの、これらの撮影コースで撮影した全身撮影画像やアップ撮影画像の画像サイズは同じである。つまり、編集時に表示される画像サイズは同じであり、さらに、シール紙に印刷される画像も同じ画像サイズである。このため、シール紙に印刷された全身撮影画像は、被写体の表示倍率がアップ撮影画像よりも小さくなり、顔の表情や指先の動きなどの細部が見にくいものとなる。従って、ユーザは満足のいく写真シールシートを得ることができない。
【０００７】
また、全身撮影画像の被写体の表示倍率をアップ撮影画像の被写体の表示倍率と同じにするためには、４倍程度の大きさ（つまり４コマ分の印刷領域）が必要となる。このため、複数の人数で写真シールシートを切り分けると、１人当たりの印刷画像枚数が少なくなり、ユーザの満足度が低下する。
【０００８】
また、このように表示倍率が小さいことや１人当たりの印刷画像枚数が少ないことをユーザが確認できるのは、出力された写真シールシートをユーザが手にした時である。このため、ユーザは、撮影や編集を楽しめたとしても、ゲームの最後に落胆してしまい、ゲームに対する満足度が低下してしまう。
【０００９】
また、上述した先行技術文献１，２，４の場合、全身撮影をするために複数のカメラや全身用背景カーテンを設置しているため、コストが高くつくという問題点もある。
【００１０】
また、上述した先行技術文献３には、段落［００９５，００９６］および図７（ａ）に示されるように、撮影の人数に応じて１枚の写真シールシートに複数の印刷画像が印刷される印刷レイアウト（分割パターン）の中に、全身撮影画像を印刷できるようなレイアウトになっているもの（細長分割）もある。しかし、この場合、全身撮影画像のみが印刷されるため、全身撮影画像やアップ撮影画像の両方の画像を印刷することができない。つまり、印刷される画像の大きさが一定の大きさであり、複数の大きさが混在された写真シールシートではない。
【００１１】
【特許文献１】特開２００１−１００３０４号公報
【特許文献２】特開２００２−２３２７４９号公報
【特許文献３】特開２００５−２７７４７６号公報
【特許文献４】特開２００６−７２０４５号公報
【発明の開示】
【発明が解決しようとする課題】
【００１２】
この発明は、上述の問題に鑑み、全身画像と他の撮影画像の混在する写真シートを出力でき、かつ全身画像における被写体の大きさを十分大きく出力できる写真シート作成方法およびその装置を提供し、ユーザの満足度を向上させることを目的とする。
【課題を解決するための手段】
【００１３】
この発明は、被写体の操作を受け付けた後に複数の撮影コースを用いて撮影空間内の一以上の被写体を撮影手段で撮影して複数種類の撮影画像を作成する撮影処理を行い、前記複数種類の撮影画像を少なくとも同一の撮影画像が複数存在する状態で配置して予め定められた用紙に印刷手段で印刷する印刷処理を行う写真シート作成方法またはその装置であって、前記撮影コースのうち被写体の顔周辺をアップ撮影可能なアップ用撮影コースで撮影したアップ撮影画像と被写体の顔から足まで撮影可能な全身用撮影コースで撮影した全身撮影画像とを前記撮影画像として取得し、前記アップ撮影画像の短辺と長辺の比率に対して、前記全身撮影画像の短辺と長辺の比率を長辺側の比率が大きい比率とし、前記アップ画像と前記全身画像を混合させて配置して用紙に印刷する写真シート作成方法またはその装置であることを特徴とする。
【００１４】
前記撮影空間は、撮影用に利用者に提供する空間を指し、前記撮影手段で撮影可能な範囲の空間、若しくは、背景部材や出入り口部材等の周景部材で囲繞（若しくは略囲繞）した空間で構成することができる。
【００１５】
前記撮影手段は、デジタルカメラ又はデジタルビデオカメラで構成することができる。  
前記編集手段は、利用者にタッチペン又は指でタッチされた座標を取得するタッチパネルやマウス等のポインティングデバイス（座標入力手段）で構成することができ、画像を表示する液晶ディスプレイやＣＲＴディスプレイなどの表示部を併せ持つことができる。
【００１６】
前記印刷手段は、インクジェットプリンタ、昇華型熱転写プリンタや溶融型熱転写プリンタ等の熱転写プリンタ、又はレーザプリンタ等、モノトーン、セピア（ｓｅｐｉａ）トーン又はカラー等で画像を印刷する印刷装置で構成することができる。  
前記用紙は、印刷可能層の裏側に粘着層を備えたシール媒体等、貼付可能媒体で構成する、あるいはその他の用紙で構成することができる。
【００１７】
前記同一内容の画像は、内容および画像サイズが同一の画像（完全同一画像）、内容は同一であり画像サイズが異なる画像（相似形画像）、またはこの両方の画像で構成することができる。
【００１８】
この発明により、全身画像と他の撮影画像の混在する写真シートを出力でき、かつ全身画像における被写体の大きさを十分大きく出力できる。
【００１９】
この発明の態様として、前記撮影手段で取得している動画映像または／および前記撮影手段で取得した撮影画像を前記撮影処理の際に表示する撮影用表示手段が備えられ、前記全身撮影画像を取得する際に、全身動画映像または／および前記全身撮影画像を、被写体の全体を表示する全体表示と被写体の顔付近を拡大した拡大表示との両方で前記撮影用表示手段に表示することができる。
【００２０】
前記撮影用表示手段は、液晶ディスプレイ、ＣＲＴディスプレイ、または反射型や透過型のプロジェクタ等の表示手段で構成できる。
【００２１】
前記全体表示と拡大表示との両方での表示は、１つの表示手段に全体表示と拡大表示を所定時間で切り替えて表示する、あるいは２以上の表示手段の一方に拡大表示し他方に全体表示するなど、適宜の方法によって行うことができる。
【００２２】
この発明により、全身撮影において、全身のポーズを確認できると共に、顔付近の写り具合を詳細に確認することができ、利用者の満足度を向上させることができる。
【００２３】
またこの発明の態様として、前記撮影処理にて複数枚の撮影画像を取得し、複数枚の撮影画像を一覧表示して編集対象とする撮影画像を選択させる選択処理を実行し、該選択処理の際、前記全身撮影画像を前記アップ撮影画像よりも大きく拡大して一覧表示することができる。
【００２４】
これにより、利用者が全身撮影画像についても顔の写りを詳細に確認した上で選択でき、全身撮影画像に対する利用者の満足度を向上させることができる。
【００２５】
またこの発明の態様として、前記撮影画像を編集して編集画像を作成する編集処理が実行可能な編集手段を備え、前記編集処理にて前記編集手段の表示部に前記撮影画像を表示する際に、前記アップ撮影画像であれば前記表示部の表示範囲内に全体を表示し、前記全身撮影画像であれば該全身撮影画像の短辺幅が前記表示部の表示範囲に適合するように部分的に拡大すると共に該拡大する部分を長辺方向へ移動可能に表示することができる。
【００２６】
前記長辺方向への移動は、表示している部分を長辺方向へ段階的に切り替えて移動する、あるいはスクロールバー等の操作によって長辺方向へ連続的に移動することができる。
【００２７】
この発明により、全身撮影画像に対しても十分大きく表示して編集許容することができ、編集に対する利用者の満足度を向上させることができる。
【００２８】
またこの発明の態様として、前記表示部に、書き込み編集に用いる編集用アイテム画像を表示し、前記全身撮影画像に前記編集用アイテム画像を書き込み編集する際に、書き込む編集用アイテム画像の大きさを、表示されている全身撮影画像の表示倍率に対応させることができる。
【００２９】
これにより、全身撮影画像の表示倍率にかかわらず編集用アイテム画像を適切な大きさで書き込むことができ、編集操作および編集画像に対する利用者の満足度を向上させることができる。
【発明の効果】
【００３０】
この発明により、全身画像と他の撮影画像の混在する写真シートを出力でき、かつ全身画像における被写体の大きさを十分大きく出力できる写真シート作成方法およびその装置を提供できる。
【発明を実施するための最良の形態】
【００３１】
この発明の一実施形態を以下図面と共に説明する。  
【実施例１】
【００３２】
図１は写真シール作成装置１を正面側から見た斜視図を示し、図２は撮影筐体２の斜視図を示し、図３は写真シール作成装置１を背面側から見た斜視図を示す。
【００３３】
写真シール作成装置１は、撮影空間Ｚに正面を向けて設置された撮影筐体２と、該撮影筐体２の背面側に連接された編集筐体３とで主に構成されている。なお、図１では、撮影空間Ｚの上方の天井４、撮影空間Ｚの後方面の背面パネル６、撮影空間Ｚの後方左右側面の側面パネル５、および撮影空間Ｚの左右側面の出入り口カーテン７を透明化して図示している。ここで、背面パネル６は、カーテンや板等の背景部材で構成されて撮影画像の背景となるものである。
【００３４】
撮影空間Ｚの上方の天井４には、ストロボ照明体２３ａと蛍光灯２３ｂと拡散板２３ｃとで構成される天井中央照明ユニット２３８が設けられている。この天井中央照明ユニット２３８は、ストロボ照明体２３ａと蛍光灯２３ｂの照明光を拡散板２３ｃで拡散した拡散光により、撮影空間Ｚ内の被写体を上から照明する。被写体が後方に下がって全身撮影を行う際には、被写体を前方斜め上から照明し、被写体の主に顔を照明できる。
【００３５】
撮影空間Ｚの上後方の天井４には、蛍光灯２３ｂと拡散板２３ｃとで構成される天井後方照明ユニット２３７が設けられている。この天井後方照明ユニット２３７は、蛍光灯２３ｂの照明光を拡散板２３ｃで拡散した拡散光により、撮影空間Ｚ内の被写体を上後方から照明する。
【００３６】
撮影空間Ｚの後方部分の床面には、撮影補助椅子９が設置されている。この撮影補助椅子９は、利用者が撮影の際に上に乗ったり腰掛けたりして利用するものである。  
撮影補助椅子９の後方には、ストロボ照明体２３ａと拡散板２３ｃとで構成される背景照明ユニット２３９が設けられている。この背景照明ユニット２３９は、背面パネル６や撮影補助椅子９後方を下から照明することで、背景を明るくするものである。これにより、背面パネル６と撮影補助椅子９の両方をクロマキー合成用に同一色とした場合に、両者の間に影が生じることを防止してクロマキー合成の精度を高めている。
【００３７】
図２に示すように、撮影筐体２は、主に上段部分２Ａ、中段部分２Ｂ、下段部分２Ｃに分けて構成されている。
【００３８】
上段部分２Ａには、左側の上段左照明ユニット２３１Ａ、中央の上段中央照明ユニット２３１Ｂ、および右側の上段右照明ユニット２３１Ｃが設けられている。これらの照明ユニット２３１Ａ〜２３１Ｃは、表面を斜め下方へ向けた平面状の拡散板２３ｃがそれぞれの正面に設けられ、内部にストロボ照明体２３ａおよび蛍光灯２３ｂが設けられている。また、ストロボ照明体２３ａおよび蛍光灯２３ｂを囲む拡散板２３ｃ以外の壁面は、表面が白色塗装されて反射面として構成されている。これにより、照明ユニット２３１Ａ〜２３１Ｃは、光を内部で反射して拡散板２３ｃで拡散した略均一な面光により照明する照明ボックスとして機能し、撮影空間Ｚで全身撮影する利用者をこの面光により照明できる。
【００３９】
上段中央照明ユニット２３１Ｂの中央部分には、上下方向に長い部分照明ユニット２３２が設けられている。この部分照明ユニット２３２は、ストロボ照明体２３ａと拡散板２３ｃとで構成されており、上半身（若しくは顔付近）のアップ撮影を行う利用者の顔、特に鼻筋辺りを拡散光により照明する。
【００４０】
上段部分２Ａと中段部分２Ｂとの間には、撮影空間Ｚ内の被写体を撮影するデジタル式のカメラ２４が左右方向中央に設けられている。このカメラ２４は、撮影前にはポーズをとっている利用者のライブビュー映像（動画）を取得し、撮影時には高解像度の撮影画像（静止画）を取得する。
【００４１】
カメラ２４の左右には、球状照明ユニット２３３Ａ，２３３Ｃが左右対称に配設されている。この球状照明ユニット２３３Ａ，２３３Ｃは、左右方向内側へ向けて傾けて配置された半球形の拡散板２３ｃと、内部のストロボ照明体２３ａおよび蛍光灯２３ｂと、背面側へ凸な半球形の反射部材とで構成されている。ストロボ照明体２３ａおよび蛍光灯２３ｂは、撮影筐体２の正面側へ凸な半球形の拡散板２３ｃと、撮影筐体２の背面側へ凸な半球形の反射部材とで囲まれている。このため、ストロボ照明体２３ａおよび蛍光灯２３ｂが照射した光は、内面が白色塗装された反射部材で反射され、拡散板２３ｃで拡散されて略均一な面光となる。この球状照明ユニット２３３Ａ，２３３Ｃは、撮影空間Ｚ内で顔付近のアップ撮影をする被写体を柔らかい面光で照明する。
【００４２】
中段部分２Ｂには、左側の中段左照明ユニット２３５Ａ、中央の中段中央照明ユニット２３５Ｂ、および右側の中段右照明ユニット２３５Ｃが設けられている。これらの照明ユニット２３５Ａ〜２３５Ｃは、表面を斜め上方へ向けた平面状の拡散板２３ｃ（またはスクリーン板６０）がそれぞれの正面に設けられ、内部にストロボ照明体２３ａおよび蛍光灯２３ｂが設けられている。また、ストロボ照明体２３ａおよび蛍光灯２３ｂを囲む拡散板２３ｃ（およびスクリーン板６０）以外の壁面は、表面が白色塗装されて反射面として構成されている。これにより、照明ユニット２３５Ａ〜２３５Ｃは、光を内部で反射して拡散板２３ｃ（またはスクリーン板６０）で拡散した略均一な面光により照明する照明ボックスとして機能し、撮影空間Ｚにてアップ撮影する利用者をこの面光により照明できる。
【００４３】
また、中段中央照明ユニット２３５Ｂは、正面に拡散板２３ｃではなくスクリーン板６０が設けられている。このスクリーン板６０は、表示照明兼用ユニット（図示省略）の一部であり、内部に備えられたストロボ照明体の照明光を拡散する拡散板として機能するだけでなく、内部に備えられたプロジェクタ（図示省略）の投射映像２５Ｓ（図２参照）を投影するスクリーンとしても機能する。
【００４４】
なお、この投射映像２５Ｓ部分は、カメラ２４に近接して、カメラ２４の直下位置に配置されている。また投射映像２５Ｓ部分は、カメラ２４を挟んで上方の部分照明ユニット２３２と上下対称位置に配置されている。
【００４５】
中段右照明ユニット２３５Ｃの正面中央部分には、タッチパネルモニタ２６が設けられている。このタッチパネルモニタ２６には、撮影時の立ち位置や撮影タイミングなどの情報や撮影における撮影条件を選択許容する画面（例えば、写りや明るさを選択させる画面）を表示して被写体に必要な情報を案内する。
【００４６】
下段部分２Ｃには、左側の下段左照明ユニット２３６Ａと右側の下段右照明ユニット２３６Ｃとが設けられている。これらの照明ユニット２３６Ａ，２３６Ｃは、平面状の拡散板２３ｃがそれぞれの正面に設けられ、内部にストロボ照明体２３ａおよび蛍光灯２３ｂが設けられている。また、ストロボ照明体２３ａおよび蛍光灯２３ｂを囲む拡散板２３ｃ以外の壁面は、表面が白色塗装されて反射面として構成されている。これにより、照明ユニット２３６Ａ，２３６Ｃは、光を内部で反射して拡散板２３ｃで拡散した略均一な面光により照明する照明ボックスとして機能し、撮影空間Ｚで全身撮影する利用者の体をこの面光により照明できる。
【００４７】
なお、各照明ユニット２３２〜２３９に用いられている拡散板２３ｃは、数ミリ程度の肉厚で乳白色の半透明でアクリル製の板部材で構成されている。したがって、拡散板２３ｃの厚み全体で光を拡散する。
【００４８】
下段左照明ユニット２３６Ａと下段右照明ユニット２３６Ｃの間となる中央部分には、ゲームプレイに必要な硬貨の投入を許容する硬貨投入口２１ａと、投入硬貨の返却や釣銭の返却等を行う返却口２１ｂと、荷物置き用の荷物置き部２９が設けられている。
【００４９】
図３に示すように、編集筐体３には、左右両面に編集用モニタ３２、該編集用モニタ３２に重ねて配置されたタブレット３３、およびタッチペン３４が設けられている。これにより、編集筐体３の右側と左側の両方で並行して編集処理を実行し、さらに撮影空間Ｚでの撮影処理と含めて並行して実行させて３重接客ができるように構成されている。
【００５０】
また、左右両面の上部には編集用照明３８が設けられている。この編集用照明３８は、編集空間を照明している。
【００５１】
また、左右両面の編集用モニタ３２の横には、追加印刷の料金投入に用いられる硬貨投入口３６ａおよび返却口３６ｂが設けられている。
【００５２】
編集筐体３の撮影筐体２との反対側面には、写真シールシート排出口３７ａが設けられている。この写真シールシート排出口３７ａから完成した写真シールシートを排出することで、編集処理を行う編集空間とは別の場所で利用者が写真シールシートを受け取れるようにしている。
【００５３】
図４は、写真シール作成装置１のブロック図を示す。  
写真シール作成装置１は、制御装置１２に接続して、記憶部１１、通信部１３、ドライブ１４、ＲＯＭ１６、ＲＡＭ１７、撮影部２０、編集部３０、およびプリンタ３７が設けられている。
【００５４】
記憶部１１は、ハードディスクなどの記憶装置で構成されている。この記憶部１１は、編集処理に使用する編集ツールのデータや照明設定データ、およびプレイ時間設定データなどの各種データを記憶しており、制御装置１２による設定情報の読み込みおよび保存を許容する。
【００５５】
通信部１３は、インターネットなどの通信網を介してサーバ等の適宜の装置と通信するＬＡＮカード等の通信装置で構成されている。この通信部１３は、制御装置１２の制御信号に従って、撮影画像や編集画像をサーバのデータベースに登録する、あるいは利用者のメールアドレスへ撮影画像や編集画像を送信するといった動作を行う。
【００５６】
ドライブ１４は、携帯型の不揮発性メモリやＵＳＢメモリといったリムーバブルメディア１５に対してデータの読み書きを行うドライブ装置で構成されている。このドライブ１４は、制御装置１２の制御信号に従って、撮影画像や編集画像を利用者の所有するリムーバブルメディア１５に書き込み、またリムーバブルメディア１５に記憶されている撮影画像や編集画像、あるいは編集用アイテムといったデータを読取る。
【００５７】
ＲＯＭ１６は、写真シール作成装置１で実行するゲームのプログラムやメンテナンス用のプログラムなど、各種プログラムやデータを記憶している。  
ＲＡＭ１７は、制御装置１２によって一時記憶領域として使用される。
【００５８】
撮影部２０は、硬貨処理部２１、背景制御部２２、照明装置２３、カメラ２４、プロジェクタ２５、タッチパネルモニタ２６、およびスピーカ２７といったように、撮影空間Ｚ側に配置された各種装置で構成されている。
【００５９】
硬貨処理部２１は、硬貨投入口２１ａ（図２参照）から投入された硬貨の投入金額が１ゲーム（硬貨投入から写真シール紙排出まで）に必要な金額以上であれば、起動信号を制御装置１２に送信する。
【００６０】
照明装置２３は、制御装置１２から受信した照明制御信号に従い、上述した各照明ユニット２３２〜２３９のストロボ照明体２３ａから閃光を照射する。
【００６１】
カメラ２４は、制御装置１２から受信したシャッタ信号に従って撮影を実行し、取得した撮影画像や動画像の画像データを制御装置１２に送信する。
【００６２】
プロジェクタ２５は、制御装置１２から受信したＲＧＢ信号に従って、撮影前の確認用にカメラ２４で撮影している動画像をスクリーン板６０に投影させてライブビュー表示し、また撮影により取得した撮影画像を静止画表示するといった表示を実行する。
【００６３】
タッチパネルモニタ２６は、制御装置１２からＲＧＢ信号を受信し、撮影モードの選択画面の表示、撮影の際の立ち位置の案内、および撮影タイミングのカウントダウンなど、撮影に必要な情報を表示する。また、利用者に入力された入力信号（座標信号）を制御装置１２に送信する。
【００６４】
スピーカ２７は、制御装置１２の音声信号に従って、撮影のシャッタタイミングを知らせるカウントダウンや、２つある編集空間のいずれか一方への移動を促す移動案内などを音声によりアナウンスする。
【００６５】
編集部３０は、タブレット内蔵モニタ３１、編集用モニタ３２、タブレット３３、タッチペン３４、スピーカ３５、および硬貨処理部３６で構成されている。
【００６６】
タブレット内蔵モニタ３１は、制御装置１２から受信するＲＧＢ信号に従って、撮影画像のサムネイル画像、フリーハンドペンや塗りつぶしツールやスタンプツールや背景ツールといった編集ツール、および編集中の編集画像など、編集に必要な画像を編集用モニタ３２に表示する。  
タブレット３３は、タッチペン３４によって利用者にタッチ入力された座標を入力信号として制御装置１２に送信する。
【００６７】
スピーカ３５は、制御装置１２からの音声信号に従って、編集許容する残り時間や編集操作の説明などを音声によりアナウンスする。  
硬貨処理部３６は、硬貨投入口３６ａ（図３参照）から投入された硬貨の投入金額が写真シールシートの追加印刷に必要な金額以上であれば、起動信号を制御装置１２に送信する。
【００６８】
プリンタ３７は、制御装置１２から受信する印刷データを、シール紙ユニット４０に備えられているシール紙４２に印刷する。
【００６９】
図５は、カメラ２４で被写体の全身を撮影した撮影画像を全身画像として縦長にサイズ変更することを説明する説明図である。
【００７０】
図５（Ａ）は、カメラ２４で被写体の全身を撮影した撮影画像１０１を示す。この状態では、立っている被写体Ｍ１，Ｍ２の全身と、その周り全体が写っている。
【００７１】
図５（Ｂ）は、撮影画像１０１の左右両端を４分の１ずつ均等にカットし、横幅を半分にサイズ変更した全身撮影画像１０３を示す。この全身撮影画像１０３は、両端の切除部分１０２がカットされている。これにより、全身撮影画像１０３は、撮影画像１０１に比べて縦横比率が長辺方向（縦方向）に２倍となっている。
【００７２】
このように全身撮影画像１０３を縦長にして、被写体Ｍ１，Ｍ２が写っていない背景部分（余白部分）を少なくすることで、画像内に閉める被写体の比率を大きくしている。
【００７３】
図６および図７は、編集用モニタ３２に表示する編集画面１１０の構成図を示している。  
編集画面１１０は、２つの編集画像１１１（１１１ａ，１１１ｂ）を表示して独立して編集できるように左右に分割して構成されている。
【００７４】
図示の例では、左側の表示範囲１１４ａ全体に、アップ撮影画像が編集されたアップ編集画像１１１ａが大きく表示されて、右側の表示範囲１１４ｂに収まるように、全身撮影画像が編集された全身編集画像１１１ｂが小さく表示されている。アップ編集画像１１１ａには、利用者Ｍ１，Ｍ２の顔Ｆ１，Ｆ２が中心に大きく写っており、編集アイテム画像１１３が書き込まれている。また、全身編集画像１１１ｂには、利用者Ｍ１，Ｍ２の顔Ｆ１，Ｆ２からつま先まで全身が写っており、編集アイテム画像１１３が書き込まれている。ここで、全身編集画像１１１ｂは全体が表示されているため、編集アイテム画像１１３は１／２に縮小して表示されている。
【００７５】
また、単に編集アイテム画像１１３を縮小するだけでは、小さいスタンプなどのような編集アイテム画像１１３の場合に画像がつぶれてしまうことがあり得る。このため、編集アイテム画像１１３として、アップ編集画像１１１ａに用いる編集アイテム画像１１３より画素数が少ない編集アイテム画像（例えば少画素数アイテム画像）を全身編集画像１１１ｂ用に予め準備しておき、これを使用しても良い。これにより、全体の画素数がアップ編集画像１１１ａよりも少なくなっている全身編集画像１１１ｂに編集する際に、編集アイテム画像１１３をつぶすことなくクリアに表示できる。
【００７６】
全身編集画像１１１ｂの右横には、表示切替ボタン１１２が設けられている。この表示切替ボタン１１２が選択されると、全身編集画像１１１ｂの表示を全体表示と拡大表示とに切り替える。拡大表示に切り替えられた場合は、例えば図７に示すように、全身編集画像１１１ｂの短辺サイズが表示範囲に適合するように拡大（この例では２倍に拡大）して表示すると良い。図７に示す例では、拡大表示する範囲を変更できるように、上表示ボタン２２７、中表示ボタン２２８、下表示ボタン２２９が設けられ、上部、中部、下部の３段階で表示できるように構成されている。なお、これに限らずスクロールバーによって連続的に上下方向へ表示位置を変更可能にし、任意の部分を表示できる構成にしてもよい。
【００７７】
編集画面１１０の中央には、サムネイル画像１１７が左右２列で上下方向に複数並べて表示されており、その下方にＢＧＭ切り替え用のＢＧＭボタン１１９が表示されている。編集用モニタ３２の左側に設置されているタッチペン３４で、いずれかのサムネイル画像１１７が選択されると、左側のアップ編集画像１１１ａが切り替わり、編集モニタ３２の右側に設置されているタッチペン３４で、いずれかのサムネイル画像１１７が選択されると、右側の全身編集画像１１１ｂが切り替わる。
【００７８】
編集画面１１０の下方部分には、編集アイテム選択部１２０が左右にそれぞれ設けられている。この編集アイテム選択部１２０は、タブ１２１が複数設けられている。このタブ１２１は、「おすすめ１」、「おすすめ２」、「日付け」、「字」、「かきこみ」、「でか」、「季節」、および「リアル」の８種類で構成されている。いずれかのタブ１２１が選択されると、下部に一覧表示する編集アイテム画像１２２を変更する。これにより、利用者が多種多様の編集アイテムを用いて編集できるように構成されている。
【００７９】
図８は、写真シールシートにアップ編集画像１１１ａや全身編集画像１１１ｂを複数割り付けて印刷する印刷レイアウトの説明図である。なお、図８（Ａ）〜図８（Ｆ）に示す数字は、割り当てる編集画像の番号を示している。また、数字表示のうち（１）〜（６）、（１）〜（３）といった表示は、利用者によってその中から任意に選択された１枚の編集画像であることを示している。
【００８０】
図８（Ａ），（Ｂ）は、通常撮影、つまりアップ撮影のみを行った場合の印刷レイアウトを示しており、図８（Ａ）は２人用４分割、図８（Ｂ）は３人用１２分割の例を示している。
【００８１】
図８（Ｃ），（Ｄ）は、アップ撮影と全身撮影の両方を行った場合の印刷レイアウトを示しており、図８（Ｃ）は２人用４分割、図８（Ｄ）は３人用１５分割の例を示している。
【００８２】
図８（Ｅ），（Ｆ）は、アップ撮影と全身撮影の両方を行った場合の印刷レイアウトを示しており、図８（Ｅ）は２人用４分割、図８（Ｆ）は３人用１２分割の例を示している。
【００８３】
ここで、図８（Ａ），（Ｃ），（Ｅ）に示す４分割の印刷レイアウトが選択された時、制御装置１２は、印刷画像（印刷する編集画像）を選択させる画面を表示し、利用者に選択させる。なお、選択されない画像は、分割される領域以外の部分におまけ用印刷画像として出力する。
【００８４】
また、図８（Ｃ）、（Ｅ）のように複数の編集対象画像の中に全身撮影画像が含まれる場合、印刷画像を選択させる画面で利用者が全身編集画像１１１ｂを選択できないように制御する。例えば、印刷画像選択画面には、ユーザの混乱を招かないようにするため、全身編集画像１１１ｂを表示しないようにする。または、全ての編集画像１１１を表示し、全身編集画像１１１ｂには選択不可などの文言を重畳表示する。このように重畳表示された場合、利用者は、全ての編集画像１１１の内容を容易に確認することができる。
【００８５】
図９は、写真シール作成装置１の制御装置１２が実行するゲーム処理のフローチャートを示す。
【００８６】
制御装置１２は、ゲーム料金分の硬貨の投入を硬貨処理部２１で確認するまで待機し（ステップＳ１：ＮＯ）、ゲーム料金分の硬貨が投入されると（ステップＳ１：ＹＥＳ）、撮影処理を実行する（ステップＳ２）。
【００８７】
制御装置１２は、撮影処理が終了すると２つの編集空間のうち一方（他の利用者がおらず空いている方）の編集空間への移動をタッチパネルモニタ２６およびスピーカ２７により利用者に案内する（ステップＳ３）。
【００８８】
制御装置１２は、案内した側の編集空間に設置された編集部３０での編集を許容する（ステップＳ４）。この編集では、ペンツールやスタンプツールなどの適宜のツールを使って、編集用モニタ３２に表示している編集画面１１０の編集画像１１１にタッチペン３４で編集する操作を許容する。
【００８９】
制御装置１２は、印刷処理を実行して完成した編集画像を印刷する（ステップＳ５）。この印刷処理では、８分割や１６分割などの適宜のパターンに編集画像を配置した印刷画像を作成し、この印刷画像をシール紙に印刷して写真シールシートを作成する。
【００９０】
制御装置１２は、図１３（Ｄ）の事後接客画面を表示し、携帯送信やデコメ落書きやプリの殿堂といった事後接客処理を行う（ステップＳ６）。この事後接客処理は、ミニゲームや編集画像のメール送信など、複数の処理を表示して１つ選択許容し、利用者に選択された処理を実行する。
【００９１】
制御装置１２は、図１３（Ｅ）のシール排出画面を表示し、写真シールシートの排出口へ移動するように案内し（ステップＳ７）、写真シールシートを排出し（ステップＳ８）、処理を終了する。
【００９２】
図１０は、写真シール作成装置１の制御装置１２が実行する撮影処理（前述したステップＳ２）のフローチャートを示す。  
制御装置１２は、カメラ２４の写りや各照明ユニット２３２〜２３９の明るさを調整する（ステップＳ１１）。
【００９３】
制御装置１２は、図１１に示す背景選択画面１３０をタッチパネルモニタ２６に表示し、どの背景画像１３１（１３１ａ，１３１ｂ）が良いか利用者に選択させる。この背景画像１３１は、アップ撮影で使用するアップ背景画像１３１ａと、全身撮影で使用する全身背景画像１３１ｂとに予め区分けされており、いずれも複数ずつ表示されている。このため、利用者が背景を選択すると、当該背景に設定されている撮影方法（全身撮影かアップ撮影か）が決定される。
【００９４】
この背景画像１３１は、背景色やモデルを使ったサンプル画像、あるいはサンプル画像にオーラなどが合成されている画像等としてもよい。サンプル画像を表示することにより、全身撮影画像の全体画像を利用者がよりイメージしやすくなり、利用者の満足度をより向上させることができる。
【００９５】
アップ撮影用の背景画像が選択された場合（ステップＳ１３：ＮＯ）、制御装置１２は、カメラ２４で動画映像を取得し、この動画映像をリアルタイムでプロジェクタ２５から投射してスクリーン板６０に投影し、投射映像２５Ｓによるライブビュー表示を行う（ステップＳ１４）。ここでは、アップ撮影を行うため、カメラ２４で取得している動画映像をそのまま（アップ撮影画像のサイズで）ライブビュー表示する。
【００９６】
全身撮影用の背景画像が選択された場合（ステップＳ１３：ＹＥＳ）、制御装置１２は、カメラ２４で動画映像を取得して投射映像２５Ｓによるライブビュー表示を行う（ステップＳ１５）。  
ここで、全身撮影用のライブビュー表示をする場合は、種々の表示パターンを取ることができ、例えば次の表示パターンがある。
【００９７】
（１）ライブビュー表示及び撮影画像の確認用表示を、全身撮影画像の全体が表示される大きさで表示し、スクリーン板６０の投射映像２５Ｓには撮影範囲の枠を表示することができる。この場合、投射映像２５Ｓの左右に余白ができるため、全身撮影特有の案内、たとえば「全身撮影するよ！後ろに下がってね！」や「後ろの椅子に腰掛けると足が長く写るよ！」等を表示できる。またこの場合、利用者にとって、全身撮影の撮影画像状態がわかりやすく、また、印刷する画像のイメージができる。
【００９８】
（２）スクリーン板６０の投射映像２５Ｓに全身撮影画像のうち上部画像（＝被写体上半身部）を表示し、タッチパネルモニタ２６に全身撮影画像を全体表示することができる。この場合、被写体がスクリーン板６０から離れていても、全身撮影画像の細部（特に顔の細部）まで確認することができる。また、タッチパネルモニタ２６に目線だけを変えるだけで、全身撮影画像の全体イメージを確認できる。
【００９９】
（３）全身撮影画像の横幅がアップ撮影画像のライブビュー画像と同じ大きさになるように表示し、時差的に上下にスクロールさせて表示することができる。この場合、被写体がスクリーン板６０から離れていても、全身撮影画像の頭から足先まで確認することができ、かつ細部まで確認することができる。
【０１００】
（４）全身撮影画像の全体表示と、横幅をアップ撮影画像のサイズに拡大した上部画像（＝被写体上半身部）を、カメラ撮影のカウントと合わせて交互に表示することができる。例えば、撮影カウントダウン「３・２」は上部画像、「１」は全身画像を表示することができる。この場合、被写体がスクリーン板６０から離れていても、全身撮影画像の細部まで確認することができ、また全身撮影画像の全体イメージを確認できる。
【０１０１】
制御装置１２は、タッチパネルモニタ２６にカウントダウンインジケータを表示させ、利用者にシャッタタイミングを通知する（ステップＳ１６）。  
制御装置１２は、各照明ユニット２３２〜２３９のストロボ照明体２３ａから閃光を照射し、カメラ２４で静止画像を撮影する（ステップＳ１７）。
【０１０２】
制御装置１２は、撮影によって取得した静止画像を投射映像２５Ｓの投影によって表示する（ステップＳ１８）。  
ここで、全身撮影画像を表示する場合は、種々の表示パターンを取ることができ、例えばステップＳ１５で説明した（１）〜（４）の表示パターンがある。
【０１０３】
撮影画像（静止画像）は、タッチパネルモニタ２６に表示してもよいが、スクリーン板６０の投射映像２５Ｓに表示する方がより好ましい。この場合、利用者は、撮影画像を確認するためにタッチパネルモニタ２６に視線を移動する必要がなく、撮影画像を容易に確認できる。
【０１０４】
このようにして撮影を行った後、制御装置１２は、撮影回数が所定回数に満たなければステップＳ１２に処理を戻して撮影を繰り返す（ステップＳ１９：ＮＯ）。
【０１０５】
所定回数の撮影が完了していれば（ステップＳ１９：ＹＥＳ）、撮影画像を編集対象画像として利用者に選択させ、保存する（ステップＳ２０）。  
制御装置１２は、移動案内画面をタッチパネルモニタ２６または／およびスクリーン板６０に表示して利用者を編集空間へ誘導し（ステップＳ２１）、撮影処理を終了する。
【０１０６】
図１２は、写真シール作成装置１の制御装置１２が実行する編集印刷処理（前述したステップＳ４〜Ｓ５）のフローチャートを示す。  
制御装置１２は、まず撮影画像を編集対象画像として取得し（ステップＳ３１）、利用者に印刷枚数を選択させる（ステップＳ３２）。印刷枚数の選択は、図１３（Ａ）に示す追加印刷選択画面を表示し、所定の料金を支払って追加印刷するか否かを選択させることで行う。
【０１０７】
制御装置１２は、図１３（Ｂ）の事後接客選択画面を表示し、事後接客の種類を「携帯送信」、「デコメ落書き」、および「プリの殿堂」の中から利用者に選択させる。
【０１０８】
制御装置１２は、図示省略する編集開始ボタンが押下されるまで待機し（ステップＳ３４：ＮＯ）、編集開始ボタンが押下されると（ステップＳ３４：ＹＥＳ）、前述した編集画面１１０（図６参照）を表示して編集操作の入力受け付けを開始する（ステップＳ３５）。
【０１０９】
編集対象画像が全身撮影画像でなければ（ステップＳ３６：ＮＯ）、編集画面１１０にアップ編集画像１１１ａ（アップ撮影画像）を表示する（ステップＳ３７）。  
編集対象画像が全身撮影画像であれば（ステップＳ３６：ＹＥＳ）、編集画面１１０に全身編集画像１１１ｂ（全身撮影画像）を表示する（ステップＳ３８）。
【０１１０】
制御装置１２は、所定時間（例えば３分）が経過するか終了ボタン（図示省略）が押下されるまで編集を継続する（ステップＳ３９：ＮＯ）。所定時間が経過するか終了ボタンが押下されると（ステップＳ３９：ＹＥＳ）、編集入力の受け付けを終了する（ステップＳ４０）。
【０１１１】
制御装置１２は、図１３（Ｃ）に示すように分割数選択画面を表示し、印刷レイアウト（図８参照）を利用者に選択させ、保存する（ステップＳ４１）。  
ここで、大きさの混在した写真シールシートのレイアウトパターンの場合、編集対象画像（＝印刷画像）を選択した時の選択枚数と、全身撮影画像の選択枚数の両方の選択枚数（ＡＮＤ条件）によって、選択許容する複数のレイアウトパターンを制御装置１２が決定する。そして、決定した複数のレイアウトパターンから、１つのレイアウトパターンをユーザに任意に選択許容する。
【０１１２】
追加印刷が選択されていなければ（ステップＳ４２：ＮＯ）、ステップＳ４６に処理を進め、印刷データを作成する（ステップＳ４６）。この印刷データとは、アップ編集画像１１１ａや全身編集画像１１１ｂを選択された印刷レイアウトに割り付けて１つの画像にしたデータである。  
制御装置１２は、印刷を開始し（ステップＳ４７）、編集印刷処理を終了する。
【０１１３】
前記ステップＳ４２で追加印刷が選択されていれば（ステップＳ４２：ＹＥＳ）、制御装置１２は、図１４（Ａ）に示すコイン投入要求画面を表示してコインの投入を促し、追加硬貨が必要分投入されたことを確認する（ステップＳ４３）。
【０１１４】
制御装置１２は、図１４（Ｂ）に示す追加印刷画像選択画面を表示し、一覧表示した複数の編集画像１１１から追加印刷する編集画像１１１を利用者に選択させる（ステップＳ４４）。この追加印刷画像選択画面では、アップ編集画像１１１ａよりも全身編集画像１１１ｂを２倍程度拡大して大きく表示している。これにより、全身編集画像１１１ｂを選択する際に利用者が顔の表情などを細部まで十分確認できるようにしている。
【０１１５】
制御装置１２は、利用者に印刷レイアウトを選択させ、選択された印刷レイアウトを保存し（ステップＳ４５）、ステップＳ４６に処理を進める。  
このようにして、編集印刷処理が終了する。
【０１１６】
次に、前述のステップＳ６の事後接客にて携帯送信が選択された場合について説明する。  
この場合、図１５（Ａ）に示すメールアドレス入力画面を表示し、利用者にメールアドレスを入力させる。
【０１１７】
制御装置１２は、図１５（Ｂ）に示す画像選択を表示し、送信する画像を利用者に選択させる。  
これにより、制御装置１２は、選択された画像を入力されたメールアドレスに送信することができる。
【０１１８】
この図１５（Ｂ）での全身撮影画像の表示方法としては、アップ撮影画像の画像サイズの１／２とする、あるいはアップ撮影画像の画像サイズの縦２倍に拡大して表示するなど、適宜の表示とするとよい。縦２倍に拡大表示した場合には、図１４（Ｂ）に示したように、追加プリントする画像の選択時と同様の表示とでき、全身撮影画像であっても利用者が細部まで十分に確認できる。この縦２倍の拡大表示は、キープ画像を利用者に選択させる選択画面でも用いると良い。
【０１１９】
利用者の携帯電話機は、メールを受信すると、図１６（Ａ）に示す受信画面を表示する。この受信画面内のアドレスにアクセスされると、携帯電話機は、図１６（Ｂ）に示すＰＲページを表示する。
【０１２０】
このＰＲページでプリ画像が選択されると、携帯電話機には図１６（Ｃ）に示す写真シールサイトが表示され、送信された編集画像（若しくは撮影画像）が表示される。
【０１２１】
携帯電話機で表示する画面には、編集画像（仕上がり画像）の大きさを選択できるように、図１６（Ｄ）に示すように、「１ページ」で表示、「でかでか」で表示、「ちょいでか」で表示の各ボタンが設けられている。
【０１２２】
「１ページ」で表示が押下されると、図１７（Ａ）に示す１ページ表示画像が表示され、全身編集画像１１１ｂの全体が画面１５０内に収まるように表示される。この場合、携帯端末の１ページの表示領域に合わせることができ、利用者は一目で全身撮影したことがわかる。
【０１２３】
「でかでか」で表示が押下されると、図１７（Ｂ）に示すでかでか表示画像が表示され、全身編集画像１１１ｂの短辺幅が画面１５０の横幅一杯に入って上下方向には約半分程度が見えるように表示される。この場合、上下方向にのみスクロールすれば全身編集画像１１１ｂ全体を確認できる。また、「１ページ」で表示より大きいサイズの全身編集画像を表示することができ、利用者は、全身編集画像を細部まで確認することができる。  
「ちょいでか」で表示が押下されると、図１７（Ｃ）に示すちょいでか表示画像が表示され、上下方向に約２／３程度が見えるように表示される。この場合、携帯端末の表示領域をスクロールさせながら、「１ページ」で表示より大きいサイズの全身画像を表示することができるため、全身編集画像を細部まで確認することができる。また、「でかでか」で表示よりファイル容量が少ないため写真シール作成装置１のＰＣや携帯端末にかかる負荷を抑えることができる。
【０１２４】
なお、これらの表示サイズは、他のサイズに構成してもよい。また、写真シール作成装置１から送信する際に大きさを選択する構成にしてもよく、携帯端末で画像をダウンロードする際に大きさを選択する構成にしてもよい。
【０１２５】
以上の構成および動作により、余白が少なく利用者の顔が大きく写っている全身撮影画像を提供することができる。  
つまり、図１８（Ａ）の従来例の写真シールシートの説明図に示すように、従来はアップ編集画像と全身編集画像の大きさが同一であったため、全身編集画像の利用者の顔は非常に小さく写ることになっていた。
【０１２６】
しかし、図１８（Ｂ）の本願の写真シールシート１４０の説明図に示すように、アップ編集画像１１１ａを縦に２つ並べた倍サイズで全身編集画像１１１ｂを印刷することにより、利用者の顔Ｆ１，Ｆ２が大きく写り、利用者の満足度を向上させることができる。
【０１２７】
しかも、全身編集画像１１１ｂは左右両端がカットされているため、利用者が写っていない部分を極力少なくでき、シール紙の紙面を有効に活用することができる。
【０１２８】
また、全身撮影画像および全身編集画像１１１ｂを縦長にしていることで、従来であればアップ撮影画像と同程度の顔サイズとなるように全身撮影画像を表示しようとすると４倍程度の大きさ（＝４コマ分の印刷領域）が必要であったところを、２倍程度の大きさ（＝２コマ分の印刷領域）で済ませることができる。このため、必要な面積が半減する。
【０１２９】
またこれにより、同一の画像を複数枚印刷する、あるいは複数のアップ画像や全身画像を多種多様に印刷することができる。このため、写真シールを複数人で分ける場合、１人当たりの印刷画像枚数が多くなり、各利用者の満足度を向上させることができる。
【０１３０】
また、全身撮影画像および全身編集画像１１１ｂを、アップ撮影画像およびアップ編集画像１１１ａに対して全身長辺方向に整数倍の大きさとしている。これにより、レイアウトパターンの作成を容易化することができる。
【０１３１】
また、全身撮影の際には、全身撮影画像を全体表示すると共に顔周辺を拡大した拡大画像も表示するため、利用者は全体のポーズと顔の表情の写りとを両方確認することができる。したがって、撮影画像に対する利用者の満足度を向上させることができる。
【０１３２】
また、全身撮影画像を編集する際には、全身撮影画像およびこれに編集を加えた全身編集画像１１１ｂを全体表示と拡大表示とに切り替えることができる。このため、アップ撮影画像およびアップ編集画像１１１ａと同じレベルで細部まで詳細に確認できると共に、全体構成も確認でき、利用者の満足度を向上させることができる。
【０１３３】
また、全身編集画像１１１ｂの編集で編集アイテム画像１１３を書き込む際には、全身編集画像１１１ｂの表示サイズに対応して編集アイテム画像１１３の大きさを変更して書き込み許容することができる。このため、利用者は全身編集画像１１１ｂの表示サイズの違いを気にすることなく、適切に編集を行うことができる。
【０１３４】
また、写真シールシート１４０には、アップ編集画像１１１ａと全身編集画像１１１ｂが混合して配置されているため、利用者はアップと全身の両方を楽しむことができる。特に全身編集画像１１１ｂはアップ編集画像１１１ａの長辺方向に整数倍（この実施例では２倍）の比率としたため、アップ編集画像１１１ａと全身編集画像１１１ｂを混合させても隙間なく密集配置することができ、シール紙の紙面を限有効活用することができる。
【０１３５】
また、図１４（Ｂ）の追加印刷画像選択画面で示したように、アップ画像と全身画像を画面上に混合して一覧表示する際に全身画像を大きく表示しているため、利用者はアップ画像と全身画像をいずれも同レベルで細部まで確認することができる。従って利用者の満足度を向上させることができる。
【０１３６】
なお、編集の際に、全身撮影画像の画像サイズをアップ撮影画像の画像サイズに戻せるように構成してもよい。つまり、全身撮影画像の両端のカット部分をカットしていない元の状態に戻せるようにしてもよい。この場合、全身撮影時にカメラ２４で撮影した撮影画像をカットせずにそのままＲＡＭ１７に一次記憶しておき、「撮影画像サイズ変更」などのボタン操作により、両端カット前の撮影画像のデータをＲＡＭ１７から呼び出すと良い。
【０１３７】
これにより、両端カット時に被写体の一部が切り取られた場合、カット部分を復活させることにより隠れていた部分が復活する。またこの場合、被写体がほとんど写っていない左右の背景部分（余白部分）が編集領域として利用できるため、多種多様な編集が施せる。
【０１３８】
また、上述した実施形態では、アップ撮影画像はカメラ２４で撮影した撮影画像そのままであり、全身撮影画像は撮影画像の両端をカットした構成であるため、アップ撮影画像の画素数より全身撮影画像の画素数の方が少ない構成となるが、アップ撮影画像の画素数より全身撮影画像の画素数が多い構成としてもよい。この場合、アップ撮影画像を取得する際に、カメラ２４の有効画素の全てではなく一部を用いる構成とすればよい。この場合は、アップ撮影画像（アップ編集画像１１１ａ）より全身撮影画像（全身編集画像１１１ｂ）を大きいサイズでシール紙に印刷したときに、両画像に解像度の差が出ることを容易に防止できる。
【０１３９】
この発明の構成と、上述の実施形態との対応において、
この発明の撮影手段は、実施形態のカメラ２４に対応し、
以下同様に、
撮影用表示手段は、プロジェクタ２５に対応し、
編集手段は、タブレット内蔵モニタ３１に対応し、
編集手段の表示部は、編集用モニタ３２に対応し、
印刷手段は、プリンタ３７に対応し、
アップ画像は、アップ撮影画像およびアップ編集画像１１１ａに対応し、
全身画像は、全身撮影画像および全身編集画像１１１ｂに対応し、
撮影処理は、ステップＳ２に対応し、
編集処理は、ステップＳ４に対応し、
印刷処理は、ステップＳ５に対応し、
選択処理は、ステップＳ４４に対応するも、
この発明は、上述の実施形態の構成のみに限定されるものではなく、多くの実施の形態を得ることができる。
【図面の簡単な説明】
【０１４０】
【図１】写真シール作成装置を正面側から見た斜視図。
【図２】撮影筐体の斜視図。
【図３】写真シール作成装置を背面側から見た斜視図。
【図４】写真シール作成装置のブロック図。
【図５】撮影画像を全身撮影画像にするサイズ変更の説明図。
【図６】編集用モニタに表示する編集画面の構成図。
【図７】編集用モニタに表示する編集画面の構成図。
【図８】印刷レイアウトの説明図。
【図９】制御装置が実行するゲーム処理のフローチャート。
【図１０】制御装置が実行する撮影処理のフローチャート。
【図１１】背景選択画面の項製図。
【図１２】制御装置が実行する編集印刷処理のフローチャート。
【図１３】編集用モニタに表示する各画面の説明図。
【図１４】編集用モニタに表示する各画面の説明図。
【図１５】編集用モニタに表示する各画面の説明図。
【図１６】携帯電話機に表示する各画面の説明図。
【図１７】携帯電話機に表示する全身編集画像の説明図。
【図１８】写真シールシートにおけるアップ画像と全身画像の画像サイズの説明図。
【符号の説明】
【０１４１】
１…写真シール作成装置
２４…カメラ
２５…プロジェクタ
３１…タブレット内蔵モニタ
３２…編集用モニタ
３７…プリンタ
４２…シール紙
１０１…撮影画像
１１１…編集画像
１１１ａ…アップ編集画像
１１１ｂ…全身編集画像
１１３，１２２…編集用アイテム画像
１１４ａ，１１４ｂ…表示範囲
Ｍ１，Ｍ２…被写体
Ｆ１，Ｆ２…顔
【図１】
2008158389.tif 000003
【図２】
2008158389.tif 000004
【図３】
2008158389.tif 000005
【図４】
2008158389.tif 000006
【図５】
2008158389.tif 000007
【図６】
2008158389.tif 000008
【図７】
2008158389.tif 000009
【図８】
2008158389.tif 000010
【図９】
2008158389.tif 000011
【図１０】
2008158389.tif 000012
【図１１】
2008158389.tif 000013
【図１２】
2008158389.tif 000014
【図１３】
2008158389.tif 000015
【図１４】
2008158389.tif 000016
【図１５】
2008158389.tif 000017
【図１６】
2008158389.tif 000018
【図１７】
2008158389.tif 000019
【図１８】
2008158389.tif 000020